(57)【要約】【課題】平板状のプラグターミナルに潰し加工を施してクリップ状のリセプタクルターミナルと狭面積（点あるいは線を含む）状態で接触させるものでありながら、嵌合時におけるプラグターミナルの座屈を防止する。【解決手段】互いの嵌合に応じて電気的に接続されるプラグコネクタ１とリセプタクルコネクタ２とを備えるコネクタＡであって、プラグターミナル５１は、両側面部に形成された潰し部５５と、潰し部５５よりも外側方に突出してリセプタクルターミナル１５１の弾性接触部１５４と接触する接触部５６とを備え、プラグハウジング１１は、プラグターミナル５１の先端位置に突出してプラグターミナル５１をガードするターミナルガード部１７を備える。【選択図】図８
2014130693.tif 000002
【特許請求の範囲】
【請求項１】
互いの嵌合に応じて電気的に接続されるプラグコネクタとリセプタクルコネクタとを備えるコネクタであって、
前記プラグコネクタは、
平板状のプラグターミナルと、
前記プラグターミナルを前記嵌合方向に沿って保持するプラグハウジングとを備え、
前記リセプタクルコネクタは、
前記プラグコネクタとの嵌合時に前記プラグターミナルを挟むように前記プラグターミナルの側面部に弾性的に接触する弾性接触部を有するクリップ状のリセプタクルターミナルと、
前記リセプタクルターミナルを保持するリセプタクルハウジングとを備え、
前記プラグターミナルは、
側面部に形成された潰し部と、
前記潰し部よりも厚み方向に突出して前記リセプタクルターミナルの弾性接触部と接触する接触部とを備え、
前記プラグハウジングは、  
前記プラグターミナルの先端位置に突出して前記プラグターミナルをガードするターミナルガード部を備えることを特徴とするコネクタ。
【請求項２】
前記プラグターミナルの先端部は、前記接触部を避けて切欠かれた切欠き部を有し、
前記ターミナルガード部は、側面視で前記切欠き部に入り込む形状としてあることを特徴とする請求項１または２に記載のコネクタ。
【請求項３】
前記プラグハウジングは、前記プラグターミナルを圧入保持するターミナル圧入部を備え、
前記ターミナル圧入部は、前記プラグターミナルの下面ならびに下方側面を覆う溝部を備えることを特徴とする請求項１または２に記載のコネクタ。
【請求項４】
前記リセプタクルハウジングは、前記ターミナルガード部に係合して前記プラグコネクタと前記リセプタクルコネクタとの嵌合をガイドする嵌合ガイド溝を備えることを特徴とする請求項１乃至３のいずれか一項に記載のコネクタ。
【請求項５】
前記プラグハウジングは、前記プラグターミナルを挟んで前記ターミナルガード部と対向する側に設けられたハウジングガード部を備え、前記ターミナルガード部と前記ハウジングガード部との協働により、斜め嵌合時やこじり嵌合時における、前記リセプタクルハウジングや前記リセプタクルターミナルと前記プラグターミナルとの接触を規制することを特徴とする請求項１乃至４のいずれか一項に記載のコネクタ。
【発明の詳細な説明】
【技術分野】
【０００１】
本発明は、プラグコネクタとリセプタクルコネクタとを備えるコネクタに関する。
【背景技術】
【０００２】
プラグコネクタとリセプタクルコネクタとを備え、互いの嵌合に応じて電気的に接続されるコネクタが知られている。この種のコネクタは、電線と基板を接続するＷ／Ｂ（Wire-to-Board）コネクタや、基板と基板を接続するＢ／Ｂ（Board-to-Board）コネクタとして広く用いられており、ハウジングの嵌合方向、ターミナルの配列、形状などが相違する様々な形式のものが提供されている。
【０００３】
たとえば、ハウジングの嵌合方向としては、基板の実装面を基準として上方から嵌合させるＳ／Ｔ（Straight）タイプや、横方向から嵌合させるＲ／Ａ（Right Angle）タイプがあり、ターミナルの配列としては、複数のターミナルが１列に並ぶシングル配列や、所定の間隔を隔てて２列に並ぶデュアル配列などがあり、ターミナルの形状としては、一対の弾性接触部を有するクリップターミナル、断面が円形または矩形のピンターミナル、平板材を打ち抜いて形成されるブレードターミナルなどがある。
【０００４】
コネクタでは、良好な接触安定性を発揮するためには、ターミナル同士を広面積の状態で接触させることは好ましくない。たとえば、断面が円形のピンターミナルとクリップターミナルとの組み合わせでは、ターミナル同士が線触状態で接触するので、良好な接触安定性を発揮することが可能であるが、断面が矩形のピンターミナルとクリップターミナルとの組み合わせや、ブレードターミナルとクリップターミナルとの組み合わせでは、ターミナル同士が広面積状態で接触するので、良好な接触安定性を発揮することが難しい。
【０００５】
そこで、従来では、このようなターミナルの組み合わせを採用する場合、クリップターミナル、ピンターミナル、ブレードターミナルのうち、いずれかの接触部に凸部などの加工を施すことにより、ターミナル同士をできるだけ狭い面積あるいは点や線の状態で接触させ、良好な接触安定性を発揮するようにしている（たとえば、特許文献１〜３参照）。
【先行技術文献】
【特許文献】
【０００６】
【特許文献１】特開昭５８−１３７９８２号公報
【特許文献２】実開平５−９２９７１号公報
【特許文献３】特許第２９０９５７０号公報
【発明の概要】
【発明が解決しようとする課題】
【０００７】
しかしながら、特許文献１に示されるように、クリップターミナルの接触部に加工を施すと、クリップターミナルの厚みや形状よっては、強度が低下し、断面が円形のピンターミナルと接触させた場合、逆に接触安定性が低下する虞があるので、クリップターミナルの汎用性が損なわれるという問題がある。
【０００８】
また、特許文献２、３に示されるように、断面が矩形のピンターミナルやブレードターミナルの接触部に加工を施す場合、その加工方法によっては、ターミナルの強度が低下して座屈が発生する虞がある。たとえば、ブレードターミナルの一部を潰して接触用の凸部を形成した場合、ブレードターミナルの一部が薄肉となって強度が低下するので、斜め嵌合やこじり嵌合によってハウジングがターミナルに接触すると、その荷重でターミナルが座屈する虞があった。なお、斜め嵌合とは、本来の嵌合を目的とし、プラグコネクタに対してリセプタクルコネクタが僅かに傾いた状態で嵌合されることを意味し、こじり嵌合とは、本来の嵌合を目的とせず、プラグコネクタに対してリセプタクルコネクタを大きく傾けた状態で強引に嵌合させることを意味する。
【０００９】
そこで、本発明は、上記の問題点に鑑みなされたものであって、平板状のプラグターミナルに潰し加工を施してクリップ状のリセプタクルターミナルと点接触や線接触を含むできるだけ狭い面積（以下狭面積状態という）で接触させるものでありながら、嵌合時におけるプラグターミナルの座屈を防止することができるコネクタの提供を目的とする。
【課題を解決するための手段】
【００１０】
本発明は上記目的を達成するために提案されたものであり、本発明のコネクタは、互いの嵌合に応じて電気的に接続されるプラグコネクタとリセプタクルコネクタとを備えるコネクタであって、前記プラグコネクタは、平板状のプラグターミナルと、前記プラグターミナルを前記嵌合方向に沿って保持するプラグハウジングとを備え、前記リセプタクルコネクタは、前記プラグコネクタとの嵌合時に前記プラグターミナルを挟むように前記プラグターミナルの側面部に接触する弾性接触部を有するクリップ状のリセプタクルターミナルと、
前記リセプタクルターミナルを保持するリセプタクルハウジングとを備え、前記プラグターミナルは、少なくとも一方の側面部に形成された潰し部と、前記潰し部よりも厚み方向に突出して前記リセプタクルターミナルの弾性接触部と接触する接触部とを備え、前記プラグハウジングは、前記プラグターミナルの先端位置に突出して前記プラグターミナルをガードするターミナルガード部を備えることを特徴とする。
【００１１】
この構成によれば、平板状のプラグターミナルに潰し加工を施してクリップ状のリセプタクルターミナルと狭面積状態で接触させるものでありながら、プラグハウジングは、プラグターミナルの先端位置に突出してプラグターミナルをガードするターミナルガード部を備えるので、リセプタクルハウジングやリセプタクルターミナルが、プラグターミナルに接触することを規制し、嵌合時におけるプラグターミナルの座屈を防止することができる。
【００１２】
また、前記プラグターミナルの先端部は、前記接触部を避けて切欠かれた切欠き部を有し、前記ターミナルガード部は、側面視で前記切欠き部に入り込む形状としてあることを特徴とする。
【００１３】
この構成によれば、プラグターミナルの接触部を短くすることなく、ターミナルガード部を長くすることができるので、プラグターミナルの接触ストロークを維持しつつ、ターミナルガード部の強度アップを図り、ターミナルガード部の破損を防止することができる。
【００１４】
また、前記プラグハウジングは、前記プラグターミナルを圧入保持するターミナル圧入部を備え、前記ターミナル圧入部は、前記プラグターミナルの下面ならびに下方側面を覆う溝部を備えることを特徴とする。
【００１５】
この構成によれば、プラグターミナルの下面だけでなく下方側面部もハウジングで支持することができるので、プラグターミナルをより強固にハウジングに固定支持することが出来る。
【００１６】
また、前記リセプタクルハウジングは、前記ターミナルガード部に係合して前記プラグコネクタと前記リセプタクルコネクタとの嵌合をガイドする嵌合ガイド溝を備えることを特徴とする。
【００１７】
この構成によれば、ターミナルガード部と嵌合ガイド溝によるガイド作用により、斜め嵌合時の荷重がプラグターミナルに直接加わることを回避できるので、プラグターミナルの座屈をより確実に防止することが可能となる。
【００１８】
また、前記プラグハウジングは、前記プラグターミナルを挟んで前記ターミナルガード部と対向する側に設けられたハウジングガード部を備え、前記ターミナルガード部と前記ハウジングガード部との協働により、斜め嵌合時やこじり嵌合時における前記リセプタクルハウジングやリセプタクルターミナルと、前記プラグターミナルとの接触を規制することを特徴とする。
【００１９】
この構成によれば、斜め嵌合時やこじり嵌合時におけるリセプタクルハウジングやリセプタクルターミナルと、プラグターミナルとの接触によって、プラグターミナルが座屈することを防止できる。
【発明の効果】
【００２０】
本発明によれば、平板状のプラグターミナルに潰し加工を施してクリップ状のリセプタクルターミナルと狭面積状態で接触させるものでありながら、嵌合時におけるプラグターミナルの座屈を防止することができる。
【図面の簡単な説明】
【００２１】
【図１】本発明の実施形態に係るコネクタの非嵌合状態を示す斜視図である。
【図２】本発明の実施形態に係るコネクタの非嵌合状態におけるリセプタクルコネクタの背面を示す斜視図である。
【図３】本発明の実施形態に係るリセプタクルコネクタを示す図であり、（ａ）はリセプタクルターミナルおよび電線の斜視図、（ｂ）はリセプタクルターミナルとプラグターミナルの接触状態を示す斜視図、（ｃ）はリセプタクルコネクタの要部斜視図である。
【図４】本発明の実施形態に係るプラグターミナルの単体を示す斜視図である。
【図５】本発明の実施形態に係るプラグコネクタを示す図であり、（ａ）はプラグコネクタの正面図、（ｂ）はプラグコネクタの平面図である。
【図６】本発明の実施形態に係るプラグコネクタの正面斜視図である。
【図７】本発明の実施形態に係るプラグターミナルをプラグハウジングに取付ける状態を示す図である。（ａ）は図５の（ａ）のＸ−Ｘ方向においてプラグハウジングの一部を断面にした側面図、（ｂ）は図５の（ａ）のＹ−Ｙ方向においてプラグハウジングの一部を断面にした側面図、（ｃ）は図６のＺ−Ｚ線部分に係る断面を正面側から模式的に示す断面図、（ｄ）は図６の丸で囲んだ部分の、ターミナル５１を抜いた状態の斜視図である。
【図８】本発明の実施形態に係るプラグコネクタの正面要部拡大斜視図であり、図６の丸で囲んだ部分の拡大斜視図、である。
【図９】本発明の実施形態に係るプラグコネクタの一部を断面にした側面図であり、図５の（ａ）に示すＹ−Ｙ方向においてプラグハウジングの一部を断面にした側面図である。
【図１０】本発明の実施形態に係るコネクタの傾き嵌合時における座屈防止構造を示す図であり、ターミナルガード部と嵌合ガイド溝の係合状態を示す断面図である。
【図１１】本発明の実施形態に係るコネクタのこじり嵌合時における座屈防止構造を示す断面図である。
【図１２】本発明の実施形態に係るプラグコネクタの吸着テープ接着状態を示す斜視図
【図１３】本発明に係るプラグコネクタの他例を示す斜視図である。
【図１４】本発明に係るプラグコネクタの他例（Ｒ／Ａタイプ）を示す斜視図である。
【図１５】参考例に係るプラグコネクタ（ピンタイプ）を示す斜視図である。
【発明を実施するための形態】
【００２２】
以下、本発明に係る好適な実施形態について、図面を参照しながら詳細に説明する。なお、実施形態の説明の全体を通じて同じ要素には同じ符号を付して説明する。また、プラグコネクタにおいては、リセプタクルコネクタが嵌合される面を正面、その反対側を背面、ターミナル配列方向に沿う二つの面のうち、一方の面を平面、その反対側を底面、底面を下にして正面から見て左側の側面を左側面、その反対側の面を右側面として説明する。また、リセプタクルコネクタにおいては、プラグコネクタに嵌合する面を正面、その反対側を背面、嵌合時にプラグコネクタの底面に沿う面を底面、その反対側の面を平面、底面を下にして正面から見て左側の側面を左側面、その反対側の面を右側面として説明する。
【００２３】
図１に示すように、コネクタＡは、プラグコネクタ１とリセプタクルコネクタ２とを備え、互いの嵌合に応じて電気的に接続するように構成されている。本実施形態のコネクタＡは、電線３と基板４を接続するＷ／Ｂコネクタであり、プラグコネクタ１が基板４に実装され、リセプタクルコネクタ２に電線が接続される。なお、図２には、背面からみたリセプタクルコネクタ２を示している。
【００２４】
本実施形態のプラグコネクタ１は、基板４の実装面を基準として、リセプタクルコネクタ２を上方から嵌合させるＳ／Ｔタイプであり、ターミナルの配列は、複数のプラグターミナル５１が２列に並ぶデュアル配列となっている。以下、プラグコネクタ１およびリセプタクルコネクタ２の各部について詳細に説明する。
【００２５】
図１乃至図３に示すように、本発明の実施形態に係るリセプタクルコネクタ２は、プラグコネクタ１に嵌合可能なリセプタクルハウジング１１１と、リセプタクルハウジング１１１に保持される複数のリセプタクルターミナル１５１とを備えて構成されている。
【００２６】
図３の（ａ）に示すように、リセプタクルターミナル１５１は、金属板材を打ち抜きおよび曲げ加工して形成されるクリップタイプのターミナルであって、電線保持部１５２、電線接続部１５３、弾性接触部１５４、圧入ガイド部１５５および抜止め部１５６を備えて構成されている。
【００２７】
電線保持部１５２は、リセプタクルターミナル１５１の基端部に形成されており、電線３を被覆部材の上から挟持状に保持する。また、電線接続部１５３は、電線保持部１５２に隣接するように形成され、電線３の露出部分を挟持することにより、電線３に電気的に接続される。
【００２８】
弾性接触部１５４は、リセプタクルターミナル１５１の先端部に形成されており、図３の（ａ）に示すように、プラグコネクタ１との嵌合時にプラグターミナル５１を挟むようにプラグターミナル５１の両側面部に弾性的に接触する一対のばね板片からなる。弾性接触部１５４のプラグターミナル５１と接触する部分は、嵌合方向と直交する線に沿って湾曲または折曲加工されており、この加工によって線状に突出した部分がプラグターミナル５１の両側面部に弾性的に接触するようになっている。
また、本実施の形態では、クリップ部分に一対の弾性接触部を示しているが、一片を弾性接触部とし、他片を剛体状の挟持用支持部とさせても良い。
【００２９】
圧入ガイド部１５５は、弾性接触部１５４に沿うようにリセプタクルターミナル１５１の先端部に形成されており、リセプタクルハウジング１１１に対するリセプタクルターミナル１５１の圧入をガイドするとともに、リセプタクルターミナル１５１の圧入限界位置を規定するようになっている。
【００３０】
抜止め部１５６は、電線接続部１５３と弾性接触部１５４との間に形成されており、リセプタクルハウジング１１１に対するリセプタクルターミナル１５１の圧入後、リセプタクルハウジング１１１側に係合してリセプタクルターミナル１５１を抜止めするようになっている。
【００３１】
リセプタクルハウジング１１１は、樹脂成型部品であって、嵌合凸部１１２、誤嵌合防止キー１１３、ロックアーム部１１４およびターミナル圧入部１１５を一体的に備えている。
【００３２】
嵌合凸部１１２は、プラグコネクタ１に対して嵌合する部分であり、誤嵌合防止キー１１３は、誤った向きでの嵌合を防止するために嵌合方向に沿って形成される凸部である。また、ロックアーム部１１４は、プラグコネクタ１に対する嵌合時にプラグコネクタ１側に係合してリセプタクルコネクタ２を抜止めするものであり、シーソー状の操作によって係合解除も可能となっている。
【００３３】
ターミナル圧入部１１５は、リセプタクルターミナル１５１を圧入保持する部分であり、本実施形態のリセプタクルハウジング１１１では、複数のリセプタクルターミナル１５１をデュアル配列で保持するために、複数のターミナル圧入部１１５を２列に並べて形成している。
【００３４】
図１に示すように、各ターミナル圧入部１１５は、リセプタクルハウジング１１１の背面側に圧入口１１６を有し、ここから正面側に向けて圧入されるリセプタクルターミナル１５１を受け入れ、抜止め状態で保持する。そのため、各ターミナル圧入部１１５内には、リセプタクルターミナル１５１の圧入時に、圧入ガイド部１５５の先端部に当接してリセプタクルターミナル１５１の圧入限界位置を規定するストッパ部（図示せず）や、抜止め部１５６に係合してリセプタクルターミナル１５１を抜止めする係合部（図示せず）を備えている。
【００３５】
また、各ターミナル圧入部１１５の先端部底面側には、嵌合方向に沿うスリット状の嵌合ガイド溝１１７が形成されており、この嵌合ガイド溝１１７を介してリセプタクルターミナル１５１とプラグターミナル５１が接触するようになっている。
【００３６】
図５に示すように、本発明の実施形態に係るプラグコネクタ１は、基板４に実装され、リセプタクルコネクタ２と嵌合されるプラグハウジング１１と、プラグハウジング１１に保持される複数のプラグターミナル５１と、基板４に対する固定補助金具であるネイル６１とを備えて構成されている。
【００３７】
図４に示すように、プラグターミナル５１は、平板金属材の打ち抜き加工や切断加工によって形成されたブレードタイプのターミナルであって、圧入保持部５２、回路接続部５３、潰し部５５、接触部５６および切欠き部５７からなる接点部５４を一体的に備えている。
【００３８】
圧入保持部５２は、プラグターミナル５１をプラグハウジング１１に圧入したとき、プラグハウジング１１で保持される部分であり、回路接続部５３は、プラグハウジング１１から外部に露出し、基板４の回路パターンに半田付けなどで電気的に接続される部分である。
【００３９】
図４に示されるように、接点部５４は、圧入保持部５２からプラグハウジング１１内に延出し、プラグコネクタ１とリセプタクルコネクタ２との嵌合時にプラグターミナル５１と接触する部分であり、図３（ｂ）に示されるように、プラグターミナル１５１に設けられる一対の弾性接触部１５４は、接点部５４を挟むように接点部５４の両側面部に弾性的に接触するようになっている。
【００４０】
潰し部５５は、接点部５４の両側面部に形成された凹部であり、潰し加工によって形成される。この潰し加工は、接点部５４の両側面部のうち、縁部を残すように中間部分に施され、潰し加工を施した範囲は、それ以外の範囲と比べて薄肉となっている。
【００４１】
接触部５６は、接点部５４の両側面部のうち、潰し加工の除外範囲とした縁部であり、リセプタクルコネクタ２の嵌合方向に沿い、潰し部５５よりも厚み方向に突出する直線的な凸部（突条）となっている。このような接触部５６によれば、リセプタクルターミナル１５１との接触時に、その弾性接触部１５４と狭面積接触状態で接触することになり、良好な接触安定性を発揮することが可能になる。
また、本実施の形態では、潰し部５５ならびに接触部５６がプラグターミナル５１の両面に形成された例を示しているが、潰し部５５ならびに接触部５６はプラグターミナル５１の片面にのみに形成しても良い。
また、接触部５６は接触部５４の両側面と平行な面を有していてもよいし、円柱状であっても上記平行な面を有さない角部が形成された柱状でも良い。接触部５６が円柱状あるいは角部が形成された柱状であれば、弾性接触部１５４と線接触あるいは点接触が可能となる。
【００４２】
切欠き部５７は、接点部５４の先端部に接触部５６を避けるように形成されている。具体的には、接点部５４の先端部のうち、プラグハウジング１１の底面側に位置する後述のターミナルガード部１７に沿う部分を切欠くように形成されている。
【００４３】
図５および図６に示すように、プラグハウジング１１は、樹脂成形部品であって、嵌合凹部１２、誤嵌合防止溝１３、ロック係合部１４、ネイル圧入部１５、ターミナル圧入部１６、ターミナルガード部１７およびハウジングガード部１８を一体的に備えている。
【００４４】
嵌合凹部１２は、プラグハウジング１１の正面に形成され、リセプタクルコネクタ２の嵌合凸部１１２が嵌合される。誤嵌合防止溝１３は、嵌合凹部１２の内側部に形成されており、リセプタクルコネクタ２が正しい向きで嵌合されたとき、リセプタクルコネクタ２の誤嵌合防止キー１１３と嵌合する。ロック係合部１４は、嵌合時にリセプタクルコネクタ２のロックアーム部１１４と係合してリセプタクルコネクタ２を抜止めする。ネイル圧入部１５は、ネイル６１を圧入保持する部分である。
【００４５】
ターミナル圧入部１６は、プラグターミナル５１を圧入保持する部分であり、本実施形態のプラグハウジング１１では、複数のプラグターミナル５１をデュアル配列で保持するために、複数のターミナル圧入部１６を２列に並べて形成している。
【００４６】
ここで、図７を参照しつつ、プラグハウジング１１のターミナル圧入部１６と、プラグターミナル５１をターミナル圧入部１６に圧入保持する一態様について説明する。
各ターミナル圧入部１６は、プラグハウジング１１の背面側が圧入口となっており、図５（ａ）のＹ−Ｙ断面を表す図７（ｂ）に示すように、ここから正面側に向けて圧入されるプラグターミナル５１を受け入れ、抜止め状態で保持する。
図５（ａ）のＸ−Ｘ断面を表す図７の（ａ）でのハウジング１１と比べ、ターミナル圧入部では、図５（ａ）のＹ−Ｙ断面を表す図７（ｂ）に示されるように、ハウジング１１が薄く形成されており、これにより、プラグターミナル５１の下部を圧入保持するに適合した溝部１６ａが形成されている。図６のＺ−Ｚ断面略図である図７（ｃ）に示されるように、この溝部１６ａは略コの字状に形成されている。図７（ｄ）はターミナル５１を抜いた状態のターミナル圧入部１６を正面側から見た斜視図である。
これによって、プラグターミナル５１の下面ならびに下方側面が溝部１６ａに覆われて、プラグターミナル５１がプラグハウジング１１に強固に支持されることとなる。
圧入された複数のプラグターミナル５１は、プラグハウジング１１の嵌合凹部１２内に２列に並ぶとともに、各列のプラグターミナル５１が嵌合凹部１２内に立設される仕切り壁１９で仕切られるようになっている。
【００４７】
ちなみに、プラグターミナル５１の圧入限界位置は、プラグターミナル５１の回路接続部５３がプラグハウジング１１の端縁部に当接することにより規定され、プラグターミナル５１の抜止めは、プラグターミナル５１の圧入保持部５２に形成される爪部がプラグハウジング１１の内壁に噛み込むことにより行われる。
【００４８】
図８および図９に示すように、ターミナルガード部１７は、プラグターミナル５１の先端部に位置するように突出形成された凸部であり、プラグターミナル５１の座屈を防止する機能を備える。たとえば、本実施形態のターミナルガード部１７は、各プラグターミナル５１の先端部に位置するように、プラグハウジング１１の内側面部および仕切り壁１９の側面部に複数突出形成されており図１０や図１１に示すように、斜め嵌合時やこじり嵌合時に、リセプタクルハウジング１１１やリセプタクルターミナル１５１が、プラグターミナル５１の先端部に、突き当て状に接触することを規制している。これにより、嵌合時におけるプラグターミナル５１の座屈が防止される。
【００４９】
また、図１０に示すように、ターミナルガード部１７は、プラグコネクタ１とリセプタクルコネクタ２との嵌合に際して、リセプタクルハウジング１１１の嵌合ガイド溝１１７に挿入され、プラグコネクタ１とリセプタクルコネクタ２との嵌合をガイドする嵌合ガイド部材としても機能するようになっている。嵌合が完了すると、図１０に示すように、ターミナルガード部１７は嵌合ガイド溝１１７に係合された状態となる。
このターミナルガード部１７と嵌合ガイド溝１１７によるガイド作用により、斜め嵌合時の荷重がプラグターミナル５１に直接加わることを回避し、プラグターミナル５１の座屈をより確実に防止することが可能となる。  
【００５０】
また、本実施形態のターミナルガード部１７は、図９に示すように、側面視でプラグターミナル５１の切欠き部５７に入り込む形状としてある。そして、プラグターミナル５１の切欠き部５７は、前述したように接触部５６を避けて形成されるものであるから、プラグターミナル５１の接触部５６を短くすることなく、ターミナルガード部１７を長くすることができ、その結果、プラグターミナル５１の接触ストロークを維持しつつ、ターミナルガード部１７の強度アップを図り、ターミナルガード部１７の破損を防止することができる。
【００５１】
図１１に示すように、ハウジングガード部１８は、プラグターミナル５１を挟んでターミナルガード部１７と対向する側に設けられ、ターミナルガード部１７との協働により、こじり嵌合時におけるリセプタクルハウジング１１１やリセプタクルターミナル１５１と、プラグターミナル５１との接触を規制するようになっている。
【００５２】
つぎに、プラグコネクタ１を基板４に実装する際に使用される吸着テープ５およびその接着面について説明する。
【００５３】
図１２に示すように、本実施形態のプラグコネクタ１は、基板４の実装面を基準としてリセプタクルコネクタ２を上方から嵌合させるＳ／Ｔタイプである。このように基板４の実装面を基準として上方が開口したプラグコネクタ１を吸着ノズルを用いて基板４に実装する場合、プラグコネクタ１の開口面に吸着テープ５を接着（粘着）し、この吸着テープ５を吸着ノズルで吸着する必要がある。なお、吸着テープ５は、基板実装後にプラグコネクタ１から剥がされ、廃棄される。
【００５４】
しかしながら、吸着テープ５は、プラグコネクタ１の開口縁部に接着されるため、開口縁部にリセプタクルコネクタ２を誘い込むための傾斜ガイド部２０を備えるプラグコネクタ１では、吸着テープ５の接着面積が不足し、吸着時に吸着テープ５が剥がれるなどの不都合が生じる虞があった。特に、本実施形態のコネクタＡのようにターミナル配列がデュアル配列であったり、３列以上の配列である場合、プラグコネクタ１の開口幅が大きくなるので、吸着テープ５の全体面積に対する吸着テープ５の接着面積が不足しやすいという問題があった。
【００５５】
そこで、本実施形態では、基板４に実装される一方のコネクタ（１）と、前記基板４の実装面を基準として前記一方のコネクタに上方から嵌合される他方のコネクタ（２）とを備えるコネクタ装置（Ａ）であって、前記一方のコネクタ（１）は、複数列に配置される複数のターミナル（５１）と、前記複数のターミナル（５１）を保持するハウジング（１１）とを備え、前記ハウジング（１１）は、前記他方のコネクタ（２）が嵌合する嵌合凹部（１２）と、前記嵌合凹部（１２）の開口縁部に形成され、前記他方のコネクタ（２）を誘い込む傾斜ガイド部（２０）と、ターミナル（５１）の列間を仕切る仕切り壁（１９）とを備え、さらに、前記ハウジング（１１）は、前記傾斜ガイド部（２０）の一部を平面状に切欠いた切欠き面（２１）を備え、該切欠き面（２１）と仕切り壁（１９）の上面を同一の仮想平面上に位置させて吸着テープ（５）の接着面としている。
【００５６】
このようにすると、開口縁部に誘い込み用の傾斜ガイド部２０を備え、かつ、プラグターミナル５１が複数列に配置されるプラグコネクタ１であっても、吸着テープ５の必要な接着面積を確保し、吸着時に吸着テープ５が剥がれるようなトラブルの発生を防止することができる。
【００５７】
以上に述べた実施形態によれば、互いの嵌合に応じて電気的に接続されるプラグコネクタ１とリセプタクルコネクタ２とを備えるコネクタＡであって、プラグコネクタ１は、平板状のプラグターミナル５１と、プラグターミナル５１を前記嵌合方向に沿って保持するプラグハウジング１１とを備え、リセプタクルコネクタ２は、プラグコネクタ１との嵌合時にプラグターミナル５１を挟むようにプラグターミナル５１の両側面部に弾性的に接触する一対の弾性接触部１５４を有するクリップ状のリセプタクルターミナル１５１と、リセプタクルターミナル１５１を保持するリセプタクルハウジング１１１とを備え、プラグターミナル５１は、両側面部に形成された潰し部５５と、潰し部５５よりも外側方に突出してリセプタクルターミナル１５１の弾性接触部１５４と面接触する接触部５６とを備え、プラグハウジング１１は、プラグターミナル５１の先端位置に突出してプラグターミナル５１をガードするターミナルガード部１７を備えるので、平板状のプラグターミナル５１に潰し加工を施してクリップ状のリセプタクルターミナル１５１と面接触させるものでありながら、プラグハウジングに形成されるターミナルガード部１７によってリセプタクルハウジング１１１やリセプタクルターミナル１５１が、プラグターミナル５１に接触することを規制し、嵌合時におけるプラグターミナル５１の座屈を防止することができる。
【００５８】
また、リセプタクルハウジング１１１は、ターミナルガード部１７に係合してプラグコネクタ１とリセプタクルコネクタ２との嵌合をガイドする嵌合ガイド溝１１７を備えるので、ターミナルガード部１７と嵌合ガイド溝１１７によるガイド作用により、斜め嵌合時の荷重がプラグターミナル５１に直接加わることを回避し、プラグターミナル５１の座屈をより確実に防止することが可能となる。
【００５９】
また、プラグターミナル５１の先端部は、接触部５６を避けて切欠かれた切欠き部５７を有し、ターミナルガード部１７は、側面視で切欠き部５７に入り込む形状としてあるので、プラグターミナル５１の接触部５６を短くすることなく、ターミナルガード部１７を長くすることができ、その結果、プラグターミナル５１の面接触ストロークを維持しつつ、ターミナルガード部１７の強度アップを図り、ターミナルガード部１７の破損を防止することができる。
【００６０】
また、プラグハウジング１１は、プラグターミナル５１を挟んでターミナルガード部１７と対向する側に設けられたハウジングガード部１８を備え、ターミナルガード部１７とハウジングガード部１８との協働により、斜め嵌合時やこじり嵌合時におけるリセプタクルハウジング１１１やリセプタクルターミナル１５１と、プラグターミナル５１との接触を規制するので、斜め嵌合時やこじり嵌合時におけるリセプタクルハウジング１１１やリセプタクルターミナル１５１とプラグターミナル５１との接触によってプラグターミナル５１が座屈することを防止できる。
【００６１】
以上、本発明の好ましい実施形態について詳述したが、本発明は上述した実施形態に限定されるものではなく、特許請求の範囲に記載された本発明の要旨の範囲内において、種々の変形、変更が可能である。
【００６２】
たとえば、前記実施形態では、コネクタの嵌合方向がＳ／Ｔタイプで、ターミナルの配列がデュアル配列のコネクタを例示したが、図１３に示すように、コネクタの嵌合方向がＲ／Ａタイプのコネクタや、図１４に示すように、ターミナルの配列がシングル配列のコネクタにも本発明が適用可能であることは言うまでもない。また、前述した吸着テープの接着面積を拡大するための構成は、本発明のコネクタに限定されるものではなく、デュアル配列以上のコネクタであれば、本発明以外のコネクタでも有効である。たとえば、図１５に示すように、ピンタイプのターミナルを備えるコネクタでも有効である。
【符号の説明】
【００６３】
１…プラグコネクタ、２…リセプタクルコネクタ、３…電線、４…基板、５…吸着テープ、１１…プラグハウジング、１２…嵌合凹部、１３…誤嵌合防止溝、１４…ロック係合部、１５…ネイル圧入部、１６…ターミナル圧入部、１６ａ…溝部、１７…ターミナルガード部、１８…ハウジングガード部、１９…仕切り壁、２０…傾斜ガイド部、２１…切欠き面、５１…プラグターミナル、５２…圧入保持部、５３…回路接続部、５４…接点部、５５…潰し部、５６…接触部、５７…切欠き部、６１…ネイル、１１１…リセプタクルハウジング、１１２…嵌合凸部、１１３…誤嵌合防止キー、１１４…ロックアーム部、１１５…ターミナル圧入部、１１６…圧入口、１１７…嵌合ガイド溝、１５１…リセプタクルターミナル、１５２…電線保持部、１５３…電線接続部、１５４…弾性接触部、１５５…圧入ガイド部、１５６…抜止め部、Ａ…コネクタ
【図７】
2014130693.tif 000003
【図１】
2014130693.tif 000004
【図２】
2014130693.tif 000005
【図３】
2014130693.tif 000006
【図４】
2014130693.tif 000007
【図５】
2014130693.tif 000008
【図６】
2014130693.tif 000009
【図８】
2014130693.tif 000010
【図９】
2014130693.tif 000011
【図１０】
2014130693.tif 000012
【図１１】
2014130693.tif 000013
【図１２】
2014130693.tif 000014
【図１３】
2014130693.tif 000015
【図１４】
2014130693.tif 000016
【図１５】
2014130693.tif 000017